(57)【要約】【課題】  防塵柵の高さよりも高く堆積された粉状堆積物の飛散を防止する。【解決手段】  粉状堆積物が飛散しないように前記粉状堆積物に散水する散水装置と、風力発電機と、前記風力発電機が発電を開始すると、前記散水装置が前記風力発電機の発電電力に基づいて散水動作を開始するように、前記散水装置を制御する制御装置と、を備える。【選択図】  図１
2011256005.tif 000002
【特許請求の範囲】
【請求項１】
粉状堆積物が飛散しないように前記粉状堆積物に散水する散水装置と、
風力発電機と、
前記風力発電機が発電を開始すると、前記散水装置が前記風力発電機の発電電力に基づいて散水動作を開始するように、前記散水装置を制御する制御装置と、
を備えることを特徴とする散水制御装置。
【請求項２】
前記風力発電機の発電電力を蓄電する蓄電池、を備え、
前記散水装置は、前記蓄電池の蓄電出力が供給されることにより前記散水動作を行うことを特徴とする請求項１に記載の散水制御装置。
【請求項３】
前記粉状堆積物の周囲を囲むフェンス、を備え、
前記散水装置は、前記フェンスの上側に設けられることを特徴とする請求項１又は請求項２に記載の散水制御装置。
【請求項４】
前記風力発電機の近傍の風速を計測する計測装置、を備え、
前記制御装置は、前記散水装置が前記計測装置の計測結果に応じた水圧で散水するように、前記散水装置を制御することを特徴とする請求項１ないし請求項３の何れかに記載の散水制御装置。
【発明の詳細な説明】
【技術分野】
【０００１】
本発明は、散水制御装置に関する。
【背景技術】
【０００２】
粉状堆積物の飛散を防止する装置として、例えば特許文献１に開示される防塵柵が知られている。  
防塵柵は、所定の高さと幅を持った板状の柵であり、粉状堆積物の周囲を囲んで配置される。防塵柵は、粉状堆積物を飛散させる程度の風（以下、強風という）を受けた場合であっても、当該防塵柵が受ける風圧力を当該防塵柵が転倒しない程度に減らす所定の大きさの孔を有する。尚、当該孔を通過した風は、粉状堆積物を飛散させない程度の風（以下、弱風という）に弱まる。  
従って、防塵柵は、粉状堆積物に向かって吹く強風を弱風に弱めることにより粉状堆積物の飛散を防止していた。
【先行技術文献】
【特許文献】
【０００３】
【特許文献１】特開２００９−１３３１１３号公報
【発明の概要】
【発明が解決しようとする課題】
【０００４】
特許文献１に開示される防塵柵は、防塵柵の高さよりも高く堆積された粉状堆積物に向かって吹く風を弱めることができないため、防塵柵の高さよりも高く堆積された粉状堆積物の飛散を防止できなかった。
【課題を解決するための手段】
【０００５】
前述した課題を解決する主たる本発明は、粉状堆積物が飛散しないように前記粉状堆積物に散水する散水装置と、風力発電機と、前記風力発電機が発電を開始すると、前記散水装置が前記風力発電機の発電電力に基づいて散水動作を開始するように、前記散水装置を制御する制御装置と、を備えることを特徴とする散水制御装置である。  
本発明の他の特徴については、添付図面及び本明細書の記載により明らかとなる。
【発明の効果】
【０００６】
本発明によれば、粉状堆積物の飛散を確実に防止できる。又、本発明によれば、散水装置が風力発電機の発電電力に基づいて散水するので、省電力化を図ることができる。
【図面の簡単な説明】
【０００７】
【図１】本発明の第１実施形態に係る散水制御装置を示す図である。
【図２】本発明の第１実施形態に係る散水部を示す図である。
【図３】本発明の第１実施形態に係る散水制御装置の機能を示すブロック図である。
【図４】本発明の第１実施形態に係る散水制御装置の制御動作を示すフローチャートである。
【図５】本発明の第２実施形態に係る散水制御装置を示す図である。
【図６】本発明の第２実施形態に係る散水制御装置の機能を示すブロック図である。
【図７】本発明の第２実施形態に係る散水制御装置の制御動作を示すフローチャートである。
【発明を実施するための形態】
【０００８】
本明細書および添付図面の記載により、少なくとも以下の事項が明らかとなる。
【０００９】
[第１実施形態]
＝＝＝散水制御装置＝＝＝
図１は、本実施形態に係る散水制御装置を示す図である。  
散水制御装置８は、フェンス２、貯水槽３、蓄電池４、ポンプ５、制御装置６、風力発電機７および散水部９１ないし散水部９６を備えて構成される。
【００１０】
粉状堆積物１は、例えば石炭火力発電所の炉内で石炭が燃焼された後に発生する石炭灰である。石炭灰は、例えば土木材料として再利用されるので、石炭火力発電所内の堆積場に保管される。
【００１１】
フェンス２は、粉状堆積物１が飛散するような風を受けるのを防止するものであり、粉状堆積物１の周囲を四辺で囲むように堆積場内に配置される。尚、フェンス２のＹ軸方向の長さは数十メートル（ｈ）であり、フェンス２のＸ軸方向の長さは数十から数百メートルであり、フェンス２のＺ軸方向の長さは数十から数百メートルである。
【００１２】
貯水槽３は、散水部９１ないし散水部９６から散水される水を貯水するものである。ポンプ５は、貯水槽３内の水を吸入し、吸入した水を散水部９１ないし散水部９６へ圧送するものである。散水部９１ないし散水部９６は、フェンス２の上側から粉状堆積物１にポンプ５から圧送された水を散水するようにフェンス２の上側に取り付けられている。尚、貯水槽３、ポンプ５および散水部９１ないし散水部９６は散水装置を構成し、その詳細については後述する。
【００１３】
風力発電機７は、散水装置を駆動させる電力を発電するものであり、例えば羽７１がフェンス２の近傍の所定の高さｈに吹く風を受けるように、風力発電機７の下側を柱７３により支持された状態でフェンス２の近傍に設置されている。尚、風力発電機７の詳細については後述する。
【００１４】
制御装置６は、例えば風力発電機７が発電を開始すると散水部９１ないし散水部９６が散水を開始するように、ポンプ５、散水部９１ないし散水部９６を制御するコンピュータである。尚、制御装置６の詳細については後述する。
【００１５】
＝＝＝風力発電機＝＝＝
風力発電機７は、羽７１、本体７２および柱７３を備えて構成される。  
本体７２は、流線型の形状であり、本体７２の一方（＋Ｘ）に垂直尾翼が取り付けられる。  
羽７１は、プロペラ形状であり、本体７２の一方とは反対側の本体７２の他方（−Ｘ）に、他方から一方に向かって吹く風を受けて回転するように取り付けられる。尚、羽７１は、羽７１の回転力により本体７２内に設けられた発電タービン（不図示）が回転するように発電タービンに連結される。  
本体７２は、柱７３を軸に回転するように、柱７３の上側（＋Ｙ側）に取り付けられる。本体７２が水平面（ＸＺ面）の所定の方向から風を受けた場合、本体７２の垂直尾翼が風を受けて風下側になるように本体７２が回転する。よって、羽７１は、水平面の所定の方向から吹く風の風上側に向けられる。
【００１６】
風力発電機７は、蓄電池４に風力発電機７の発電電力Ｐ１を充電できるように、例えば電線を介して蓄電池４に接続される。また、風力発電機７は、制御装置６に情報Ｔ１を送信できるように、例えば通信ケーブルを介して制御装置６に接続される。尚、情報Ｔ１は、例えば後述する発電情報、風速情報、風向情報である。
【００１７】
従って、風力発電機７が水平面の所定の方向から風を受けた場合、本体７２の他端は風力発電機７が受けた風の風上に向けられる。そして、発電タービンが風力発電機７の受けた風により回転する羽７１の回転力により回転し、風力発電機７は電力を発電する。
【００１８】
風力発電機７は、風力発電機７が発電した電力を計測するための、例えば電力計（不図示）を備える。電力計は、発電タービンが回転して発電された電力を計測できるように発電タービンの電力取り出し口に接続されている。
【００１９】
風力発電機７は、羽７１の回転数を計測するための、例えば回転計（不図示）を備える。回転計は、羽７１が例えば１分間に回転する回転数を計測できるように羽７１の回転軸（不図示）に取り付けられる。
【００２０】
風力発電機７は、本体７２に取り付けられた羽７１の向けられている方向を計測するための、例えば角度計（不図示）を備える。角度計は、羽７１の向けられている方向が、下側（−Ｙ側）へ向かって見たときの時計周り方向に、一方を基準として傾く角度を計測する。角度計は、例えばジャイロセンサーを内蔵し本体７２に取り付けられる。角度計は、羽７１が一方に向けられた状態を初期状態として記憶され、初期状態から変化した角度を計測し、羽７１の向けられている方向を算出する。
【００２１】
風力発電機７は、発電情報、風速情報、風向情報を制御装置６へ、例えば１分間隔に送信する。  
ここで、発電情報とは、風力発電機７が発電を行っているか否かを示す情報である。発電情報は、例えば電力計が発電タービンの出力端子の電力を計測した計測結果である。  
風速情報とは、風力発電機７が受けた風の速さを示す情報である。風速情報は、例えば回転計が羽７１の１分間の回転数を計測した計測結果である。  
風向情報とは、風力発電機７が受けた風の向きを示す情報である。風向情報は、例えば角度計が羽７１の向けられている方向を計測した計測結果である。
【００２２】
＝＝＝散水装置＝＝＝
散水装置は、貯水槽３、ポンプ５、散水部９１ないし散水部９６および給水管Ｗ１、Ｗ２を備えて構成される。
【００２３】
ポンプ５は、蓄電池４に充電された電力Ｐ２を受電できるように、例えば電線を介して蓄電池４に接続される。また、ポンプ５は、制御装置６から制御命令Ｔ２を受信できるように、例えば通信ケーブルを介して制御装置６に接続される。尚、制御命令Ｔ２は、例えば後述する水圧調整命令等である。
【００２４】
ポンプ５は、貯水槽３の水を散水部９１ないし散水部９６へ圧送する。ポンプ５は、制御装置６から水圧調整命令を受信する。ポンプ５は、散水部９１ないし散水部９６が水圧調整命令に応じた水圧で散水するように、圧送圧力を調整できる圧送モータ（不図示）を備える。
【００２５】
散水部９１ないし散水部９６は夫々同様な構成である。  
散水部９１（９２ないし９６）は、本体９１ａ（９２ａないし９６ａ）、脚９１ｂ（９２ｂないし９６ｂ）、９１ｃ（９２ｃないし９６ｃ）、散水口９１ｄ（９２ｄないし９６ｄ）を備える。尚、散水口９２ｄないし散水口９４ｄは図示されていないが、手前側（−Ｚ側）からは見えない状態となっている。
【００２６】
本体９１ａ（９２ａないし９６ａ）は、例えば散水を行う散水口９１ｄ（９２ｄないし９６ｄ）が側面に設けられ内部に水を貯めることができる円柱形状の胴体であり、本体９１ａ（９２ａないし９６ａ）の径の中心に軸（以下中心軸という）が備えられている。
【００２７】
散水部９１ないし散水部９６は、制御装置６から制御命令Ｔ３を受信できるように、例えば通信ケーブルを介して制御装置６に接続される。尚、制御命令Ｔ３は、例えば後述する散水開始命令等である。
【００２８】
ここで、フェンス２は粉状堆積物１の周囲を四辺で囲むように配置されているが、フェンス２１が手前側に配置され、フェンス２２が一方側に配置され、フェンス２３が奥側（＋Ｚ側）に配置され、フェンス２４が他方側に配置されている。
【００２９】
散水部９１は、本体９１ａの中心軸がＺ軸と平行にされ、本体９１ａの中心軸の両端は夫々、脚９１ｂ、９１ｃに軸支された状態でフェンス２４の上側の略中央に取り付けられる。散水部９２（９３）は、本体９２ａ（９３ａ）の中心軸がＸ軸と平行にされ、本体９２ａ（９３ａ）の中心軸の両端は夫々、脚９２ｂ（９３ｂ）、９２ｃ（９３ｃ）に軸支された状態でフェンス２１の上側の略中央よりも他方側（一方側）に取り付けられる。散水部９４は、本体９４ａの中心軸がＺ軸と平行にされ、本体９４ａの中心軸の両端は夫々、脚９４ｂ、９４ｃに軸支された状態でフェンス２２の上側の略中央に取り付けられる。散水部９５（９６）は、本体９５ａ（９６ａ）の中心軸がＸ軸と平行にされ、本体９５ａ（９６ａ）の中心軸の両端は夫々、脚９５ｂ（９６ｂ）、９５ｃ（９６ｃ）に軸支された状態でフェンス２３の上側の略中央よりも一方側（他方側）に取り付けられる。
【００３０】
脚９１ｂ（９２ｂないし９６ｂ）が本体９１ａ（９２ａないし９６ａ）の中心軸の一端を軸支し、脚９１ｃ（９２ｃないし９６ｃ）が本体９１ａ（９２ａないし９６ａ）の中心軸の他端を軸支している。
【００３１】
本体９１ａ（９２ａないし９６ａ）は、本体９１ａ（９２ａないし９６ａ）の中心軸を中心に制御装置６から送信された仰角調整命令に応じて本体９１ａ（９２ａないし９６ａ）を回動させるような駆動機構（不図示）を備える。
【００３２】
ポンプ５が貯水槽３の水を吸入できるように、例えば給水管Ｗ１の一端が貯水槽３に取り付けられ、給水管Ｗ１の他端がポンプ５に取り付けられる。  
ポンプ５が散水部９１ないし散水部９６へ貯水槽３の水を圧送できるように、例えば給水管Ｗ２の一端がポンプ５に取り付けられる。
【００３３】
ここで、散水部９１ないし散水部９６は夫々、ポンプ５により圧送された水を本体９１ａないし本体９６ａへ送るための、例えばホース（不図示）を有する。散水部９１ないし散水部９６のホースの一端は夫々、本体９１ないし本体９６に取り付けられ、散水部９１ないし散水部９６のホースの他端は夫々、給水管Ｗ２の他端に取り付けられる。
【００３４】
本体９１ａないし本体９６ａは、ポンプ５に圧送された水を散水口９１ｄないし散水口９６ｄから散水するか否かの制御を行うための、例えば開閉弁（不図示）を備える。ポンプ５により圧送された水は、本体９１ａないし本体９６ａの内部を満たし、開閉弁が開とされた散水口９１ｄないし散水口９６ｄからフェンス２の内側に向けて散水される。
【００３５】
よって、ポンプ５は、制御装置６からポンプ起動命令を受信した場合、圧送モータを起動して給水管Ｗ１を介して貯水槽３の水を吸入し、貯水槽３から吸入した水を給水管Ｗ２およびホースを介して散水部９１ないし散水部９６へ圧送する。
【００３６】
散水部９１ないし散水部９６は、制御装置６から散水開始命令を受信した場合、本体９１ａないし本体９６ａに備えられた開閉弁が開とされ、ポンプ５により圧送された水が散水口９１ｄないし散水口９６ｄから散水される。
【００３７】
ポンプ５は、制御装置６からの水圧調整命令に応じて圧送圧力を調整し、貯水槽３の水を散水部９１ないし散水部９６に対して圧送する。  
ポンプ５により圧送された水は、フェンス２の内側に向けて散水口９１ｄないし散水口９６ｄから散水される。
【００３８】
ここで、図２は、手前側から奥側に向かってみたフェンス２と散水部９１を示す図である。尚、一点鎖線は散水部９１の径の中心における水平線を示す。
【００３９】
散水部９１ないし散水部９６が、制御装置６からの仰角調整命令に応じた仰角で散水するように、本体９１ａないし本体９６ａは、本体９１ａないし本体９６ａの中心軸を中心に回動する。これは、散水口９１ｄないし散水口９６ｄを、仰角調整命令に応じた散水方向に向けるためである。
【００４０】
例えば、散水部９１が第１の仰角調整命令又は第２の仰角調整命令を受信したものとする。そして、例えば、第１の仰角調整命令に応じた散水仰角が第２の仰角調整命令に応じた散水仰角よりも小さいθ１、第２の仰角調整命令に応じた散水仰角が第１の仰角調整命令に応じた散水仰角よりも大きいθ２であることとする。散水部９１が第１の仰角調整命令を受信した場合、本体９１ａの径の中心を中心として散水口９１ｄの方向が仰角θ１となるように、本体９１ａないし本体９６ａは、本体９１ａないし本体９６ａの中心軸を中心に回動する。一方、散水部９１が第２の仰角調整命令を受信した場合、本体９１ａの径の中心を中心として散水口９１ｄの方向が仰角θ２となるように、散水部９１が第１の仰角調整命令を受信した場合、本体９１ａの径の中心を中心として散水口９１ｄの方向が仰角θ１となるように、本体９１ａないし本体９６ａは、本体９１ａないし本体９６ａの中心軸を中心に回動する。尚、散水部９２ないし散水部９６が仰角調整命令を受信した場合の動作は散水部９１が仰角調整命令を受信したときの動作と同様であるので、その説明を省略する。
【００４１】
ポンプ５は、制御装置６からポンプ停止命令を受信した場合、圧送モータが停止され、貯水槽３の水を散水部９１ないし散水部９６へ圧送するのを停止する。散水部９１ないし散水部９６は、制御装置６から散水終了命令を受けた場合、本体９１ａないし本体９６ａに備えられた開閉弁が閉とされ、散水口９１ｄないし散水口９６ｄからの散水は停止する。
【００４２】
＝＝＝制御装置＝＝＝
図３は、散水制御装置の機能を示すブロック図である。  
制御装置６は、送信部６１、受信部６２および記憶部６３を備えて構成される。
【００４３】
受信部６２は、風力発電機７から例えば１分間隔で送信される発電情報、風速情報および風向情報（以下、風力発電機７の発電情報等という）を受信する。  
送信部６１は、ポンプ５に制御命令Ｔ２を送信し、散水部９１ないし散水部９６に制御命令Ｔ３を送信する。  
記憶部６３は、例えば第１の領域６４ないし第４の領域６７の４つの領域を有する。
【００４４】
第１の領域６４には、ポンプ５および散水部９１ないし散水部９６を制御するためのプログラムが記憶されている。  
第２の領域６５には、受信部６２が風力発電機７から１分間隔で受信した風力発電機７の発電情報等が記憶されている。
【００４５】
第３の領域６６には、風力発電機７が受ける風の風速と、ポンプ５の圧送圧力および散水部９１ないし散水部９６から散水される散水仰角との関係が対応付けられて記憶されている。第３の領域６６には、例えば第１の風速（第２の風速）に対応する圧送圧力と散水仰角が第１の圧送圧力（第２の圧送圧力）及び散水仰角θ１（θ２）として記憶されている。
【００４６】
第４の領域６７には、風力発電機７が受ける風の風向と、散水部９１ないし散水部９６との関係が対応付けられて記憶されている。第４の領域６７には、例えば一方（他方）方向の風向に対応する散水部として散水部９１（９４）が記憶されている。
【００４７】
制御装置６は、第１の領域６４に記憶された制御プログラムが実行された際、第３の領域６６および第４の領域６７を参照して、受信部６２が受信して第２の領域６５に記憶された風力発電機７の発電情報等に対応する散水部、ポンプ５の圧送圧力及び散水仰角を判断する。そして、制御装置６は、当該判断結果に基づいて、送信部６１にポンプ５（散水部９１ないし散水部９６）へ制御命令Ｔ２（Ｔ３）を送信させる。
【００４８】
＝＝＝散水制御装置の動作＝＝＝
図４は、本実施形態に係る散水制御装置８の制御動作を示すフローチャートである。
【００４９】
第１の領域６４に記憶されたプログラムの実行が開始され、制御装置６が制御動作を開始したところから説明する。  
前述のように、受信部６２が風力発電機７から例えば１分間隔で受信した風力発電機７の発電情報等は、第２の領域６５に記憶される。
【００５０】
制御装置６は、第２の領域６５に記憶された発電情報に風力発電機７が発電を行っていることを示す情報（以下、情報Ｄ１という）が含まれているか否かを判断する（ステップＳ１）。  
制御装置６が、第２の領域６５に記憶された発電情報に情報Ｄ１が含まれていないと判断した場合（ステップＳ１のＮＯ）、制御装置６は、上記ステップＳ１の判断を再度実行する。  
一方、制御装置６が、第２の領域６５に記憶された発電情報に情報Ｄ１が含まれていると判断した場合（ステップＳ１のＹＥＳ）、制御装置６は、後述するようにポンプ５及び散水部９１ないし散水部９６を制御する。
【００５１】
制御装置６の送信部６１は、ポンプ起動命令をポンプ５に送信する。ポンプ５は、送信部６１からのポンプ起動命令に従って圧送モータを起動する（ステップＳ２）。貯水槽３の水は、ポンプ５に吸入されて散水部９１ないし散水部９６へ圧送される。
【００５２】
制御装置６は、第３の領域６６を参照して、第２の領域６５に記憶された風速情報に対応付けられているポンプ５の圧送圧力を判断する。例えば、第２の領域６５に記憶された風速情報に示された風速が第１の風速である場合、制御装置６は、第１の圧送圧力が対応付けられていると判断する。制御装置６の送信部６１は、ポンプ５の圧送圧力が第１の圧送圧力となるような水圧調整命令をポンプ５に送信する。ポンプ５は、送信部６１からの水圧調整命令に従って、ポンプ５が給水した水を散水部９１ないし散水部９６へ第１の圧送圧力で圧送するように、圧送モータの回転数を調整する（ステップＳ３）。
【００５３】
制御装置６は、第３の領域６６を参照して、第２の領域６５に記憶された風速情報に対応付けられている散水部９１ないし散水部９６の散水仰角を判断する。例えば、第２の領域６５に記憶された風速情報に示された風速が第１の風速である場合、制御装置６は、散水仰角θ１が対応付けられていると判断する。制御装置６の送信部６１は、散水部９１ないし散水部９６の散水仰角が散水仰角θ１となるような仰角調整命令を散水部９１ないし散水部９６に送信する。散水部９１ないし散水部９６が送信部６１から仰角調整命令を受信した場合、本体９１ａないし本体９６ａは、散水仰角がθ１となるように本体９１ａないし本体９６ａの中心軸を中心に回動する（ステップＳ４）。
【００５４】
制御装置６は、第４の領域６７を参照して、第２の領域６５に記憶された風向情報に対応付けられている散水部を判断する。例えば、第２の領域６５に記憶された風向情報に示された風向が一方方向である場合、制御装置６は、散水部９１が対応付けられていると判断する（ステップＳ５）。
【００５５】
制御装置６は、ステップＳ５で第２の領域６５に記憶された風向情報に対応付けられた散水部と判断された散水部に対して散水開始命令を送信する。例えば、制御装置６の送信部６１は、散水部９１に散水開始命令を送信する。散水部９１は、送信部６１から散水開始命令を受信して、本体９１ａに備えられた開閉弁を開とする。ポンプ５に圧送された水は、本体９１ａの散水口９１ｄから散水される（ステップＳ６）。
【００５６】
ここで、前述したように、第２の領域６５には、受信部６２が風力発電機７から例えば１分間隔で受信した風力発電機７の発電情報等が記録される。そして、制御装置６は、例えば最後に記憶された風力発電機７の発電情報等に基づいて制御動作を行う。
【００５７】
制御装置６は、第２の領域６５に記憶された発電情報に情報Ｄ１が含まれているか否かを判断する（ステップＳ７）。  
制御装置６が、第２の領域６５に記憶された発電情報に情報Ｄ１が含まれていると判断した場合（ステップＳ７のＹＥＳ）、制御装置６は、後述するようにポンプ５及び散水部９１ないし散水部９６を制御する。
【００５８】
制御装置６は、第２の領域６５に記憶された風向情報と、散水されている散水部の判断に用いた風向情報（以下、直前の風向情報という）が同じか否かを判断する。（ステップＳ８）。
【００５９】
制御装置６が、第２の領域６５に記憶された風向情報と、直前の風向情報が同じでないと判断した場合（ステップＳ８のＮＯ）、制御装置６は、後述するように散水部９１ないし散水部９６を制御する。例えば、直前の風向情報に示された風向が一方方向であり、第２の領域６５に記憶された風向情報に示された風向が他方方向である場合、制御装置６は、第４の領域６７を参照して、他方方向を示す風向情報に対応付けられている散水部は散水部９４であると判断する。制御装置６の送信部６１は、散水部９１に散水終了命令を送信し、散水部９４に散水開始命令を送信する。散水部９１は、送信部６１から散水終了命令を受信して、本体９１ａに備えられた開閉弁を閉とする。散水部９４は、送信部６１から散水開始命令を受信して、本体９４ａに備えられた開閉弁を開とする。よって、ポンプ５に圧送された水は、本体９４ａの散水口９４ｄから散水される（ステップＳ９）。
【００６０】
制御装置６が、第２の領域６５に記憶された風向情報と、直前の風向情報が同じであると判断した場合（ステップＳ８のＹＥＳ）又は前述のステップＳ９の制御動作を行った場合、制御装置６は、後述の制御動作を行う。
【００６１】
制御装置６は、第２の領域６５に記憶された風速情報と、散水されている散水仰角およびポンプ５の圧送圧力の判断に用いた風速情報（以下、直前の風速情報という）が同じか否かを判断する。（ステップＳ１０）。
【００６２】
制御装置６が、第２の領域６５に記憶された風速情報と、直前の風速情報が同じでないと判断した場合（ステップＳ１０のＮＯ）、制御装置６は、後述するようにポンプ５および散水部９１ないし散水部９６を制御する。例えば、直前の風速情報に示された風速が第１の風速であり、第２の領域６５に記憶された風速情報に示された風速が第２の風速である場合、制御装置６は、第３の領域６６を参照して第２の風速に対応付けられている圧送圧力（散水仰角）は第２の圧送圧力（散水仰角θ２）あると判断する。制御装置６の送信部６１は、散水部９１ないし散水部９６の散水仰角が散水仰角θ２となるような仰角調整命令を散水部９１ないし散水部９６に送信する。散水部９１ないし散水部９６が送信部６１から仰角調整命令を受信した場合、本体９１ａないし本体９６ａは、散水仰角がθ２となるように本体９１ａないし本体９６ａの中心軸を中心に回動する（ステップＳ１１）。又、制御装置６の送信部６１は、ポンプ５の圧送圧力が第２の圧送圧力となるような水圧調整命令をポンプ５に送信する。ポンプ５は、送信部６１からの水圧調整命令に従って、ポンプ５が給水した水を散水部９１ないし散水部９６へ第２の圧送圧力で圧送するように、圧送モータの回転数を調整する（ステップＳ１２）。よって、ポンプ５によって第２の圧送圧力で圧送された水は、本体９４ａの散水口９４ｄから散水仰角θ２で散水される。
【００６３】
制御装置６が、第２の領域６５に記憶された風速情報と、直前の風速情報が同じであると判断した場合（ステップＳ１０のＹＥＳ）又は前述のステップＳ１２の制御動作を行った場合、制御装置６は、上記ステップＳ７の判断を再度実行する。  
制御装置６が、第２の領域６５に記憶された発電情報に情報Ｄ１が含まれていないと判断した場合（ステップＳ７のＮＯ）、制御装置６は、後述するようにポンプ５および散水部９１ないし散水部９６を制御する。
【００６４】
制御装置６の送信部６１は、ポンプ停止命令をポンプ５に送信する。ポンプ５は、送信部６１からのポンプ停止命令に従って圧送モータを停止させる（ステップ１３）。
【００６５】
制御装置６の送信部６１は、散水終了命令を散水部９１ないし散水部９６に送信する。散水部９１ないし散水部９６が送信部６１から散水終了命令を受信した場合、本体９１ａないし本体９６ａに備えられた開閉弁は閉とされ、散水口９１ｄないし散水口９６ｄからの散水は停止する（ステップＳ１４）。
【００６６】
制御装置６は、ステップＳ１４の制御動作の後に、上記ステップＳ１の判断を再度実行する。
【００６７】
[第２実施形態]
＝＝＝散水制御装置＝＝＝
図５は、本実施形態に係る散水制御装置を示す図である。尚、図１に示された構成と同じ構成については同じ番号を付すのみで、その説明は省略する。  
散水制御装置８ａは、フェンス２ａ、貯水槽３、蓄電池４、ポンプ５、制御装置６、風速風向計７ａ、風力発電機７ｂおよび散水部９１ないし散水部９６を備えて構成される。
【００６８】
フェンス２ａは、粉状堆積物１が飛散するような風を受けるのを防止するものであり、粉状堆積物１の周囲を四辺で囲むように堆積場内に配置される。尚、フェンス２ａのＹ軸方向の長さは数十メートル（ｈ）であり、フェンス２ａのＸ軸方向の長さは数十から数百メートルであり、フェンス２ａのＺ軸方向の長さは数十から数百メートルである。
【００６９】
フェンス２ａの手前側のフェンス２１ａには、例えばフェンス２１ａのＸ軸の略中央よりも他方側に風力発電機７ｂを取り付けるための四辺形の窓２１ｂが設けられている。尚、窓２１ｂの四辺は、フェンス２１ａの高さｈよりも短く、Ｙ軸に平行な同じ長さの２本の辺と、フェンス２１ａのＸ軸方向の長さの半分よりも短く、Ｘ軸に平行な同じ長さの２本の辺から成る。
【００７０】
風速風向計７ａは、風速風向計７ａが設置された場所の風速および風向を計測するものであり、例えばフェンス２３の他方側の上側に設置されている。尚、風速風向計７ａの詳細については後述する。
【００７１】
風力発電機７ｂは、散水装置を駆動させる電力を発電するものであり、フェンス２１ａの窓２１ｂに吹く風を受けるように、フェンス２１ａに取り付けられている。尚、風力発電機７ｂの詳細については後述する。
【００７２】
＝＝＝風速風向計＝＝＝
風速風向計７ａは、羽７１ａ、本体７２ａおよび柱７３ａを備えて構成される。  
本体７２ａは、流線型の形状であり、本体７２ａの一方に垂直尾翼が取り付けられる。
【００７３】
羽７１ａは、プロペラ形状であり、本体７２ａの一方とは反対側の本体７２ａの他方に、他方から一方に向かって吹く風を受けて回転するように取り付けられる。  
本体７２ａは、柱７３ａを軸に回転するように、柱７３ａの上側に取り付けられる。本体７２ａが水平面の所定の方向から風を受けた場合、本体７２ａの垂直尾翼が風を受けて風下側になるように本体７２ａが回転する。よって、羽７１ａは、水平面の所定の方向から吹く風の風上側に向けられる。
【００７４】
風速風向計７ａは、制御装置６に情報Ｔ１ａを送信できるように、例えば通信ケーブルを介して制御装置６に接続される。尚、情報Ｔ１ａは、例えば風速情報、風向情報である。  
風速風向計７ａは、羽７１ａの回転数を計測するための、例えば回転計（不図示）を備える。回転計は、羽７１ａが例えば１分間に回転する回転数を計測できるように羽７１ａの回転軸（不図示）に取り付けられる。
【００７５】
風速風向計７ａは、本体７２ａに取り付けられた羽７１ａの向けられている方向を計測するための、例えば角度計（不図示）を備える。角度計は、羽７１ａの向けられている方向が、下側へ向かって見たときの時計周り方向に、一方を基準として傾く角度を計測する。角度計は、例えばジャイロセンサーを内蔵し本体７２ａに取り付けられる。角度計は、羽７１ａが一方に向けられた状態を初期状態として記憶され、初期状態から変化した角度を計測し、羽７１ａの向けられている方向を算出する。  
風速風向計７ａは、風速情報、風向情報を制御装置６へ、例えば１分間隔に送信する。
【００７６】
＝＝＝風力発電機＝＝＝
風力発電機７ｂは、本体７１ｂ、回転軸７２ｂおよび回転翼７３ｂ、７４ｂを備えて構成される。  
風力発電機７ｂは、フェンス２１ａの窓２１ｂに吹く風を受けるように、フェンス２１aに取り付けられる。
【００７７】
本体７１ｂは、内部に発電タービン（不図示）を有し、回転軸７２ｂの一端を一方側から軸支するように、窓２１ｂの一方側に配置される。回転軸７２ｂは、Ｘ軸と平行にされ、回転軸７２ｂの一端は本体７１ｂに軸支され、回転軸７２ｂの他端は窓２１ｂのＹ軸に平行な他方側の窓２１ｂの枠の略中央に軸支さる。尚、回転軸７２ｂは、両端を本体７１ｂ及び窓２１ｂのＹ軸に平行な他方側の窓２１ｂの枠の略中央に軸支された状態で回転する。
【００７８】
回転翼７３ｂ、７４ｂは、手前側からの風を受けて回転軸７２ｂを、他方側から見て時計回りに回転させるように、回転軸７２ｂに取り付けられる。回転軸７２ｂは、回転翼７３ｂ、７４ｂの回転力により本体７１ｂの発電タービンが回転するように、発電タービンに連結される。
【００７９】
本体７１ｂは、蓄電池４に風力発電機７ｂの発電電力Ｐ１ａを充電できるように、例えば電線を介して蓄電池４に接続される。
【００８０】
よって、風力発電機７ｂが、回転翼７３ｂ、７４ｂが回転軸７２ｂを軸に回転するような風を受けた場合、回転翼７３ｂ、７４ｂは回転軸７２ｂを軸に回転し、回転軸７２ｂに連結された発電タービンが回転する。そして、風力発電機７ｂは、電力を発電し蓄電池４を充電する。
【００８１】
＝＝＝制御装置＝＝＝
図６は、散水制御装置の機能を示すブロック図である。尚、図３に示されたブロックと同じ機能を有するブロックについては同じ番号を付すのみで、その説明は省略する。
【００８２】
受信部６２は、風速風向計７aから例えば１分間隔で送信される風速情報および風向情報（以下、風速風向計７ａの風速情報等という）を受信する。  
第２の領域６５には、受信部６２が風速風向計７aから１分間隔で受信した風速風向計７ａの風速情報等が記憶されている。  
制御装置６は、第１の領域６４に記憶された制御プログラムが実行された際、第３の領域６６および第４の領域６７を参照して、受信部６２が受信して第２の領域６５に記憶された、風速風向計７ａの風速情報等に対応する散水部、ポンプ５の圧送圧力及び散水仰角を判断する。そして、制御装置６は、当該判断結果に基づいて、送信部６１にポンプ５（散水部９１ないし散水部９６）へ制御命令Ｔ２（Ｔ３）を送信させる。
【００８３】
＝＝＝散水制御装置の動作＝＝＝
図７は、本実施形態に係る散水制御装置８ａの制御動作を示すフローチャートである。尚、図４に示されたステップと同じステップについては同じ番号を付すのみで、その説明は省略する。
【００８４】
第１の記憶領域６４に記憶されたプログラムの実行が開始され、制御装置６が制御動作を開始したところから説明する。  
前述のように、受信部６２が風速風向計７ａから例えば１分間隔で受信した風速風向計７ａの風速情報等は、第２の領域６５に記憶される。  
制御装置６は、第２の領域６５に記憶された風速情報の示す風速が、散水を行う風速として決められた風速（以下、散水開始風速という）に達しているか否かを判断する（ステップ１ａ）。尚、散水開始風速は、例えば作業者に粉状堆積物１が飛散するような風速と判断された風速である。
【００８５】
制御装置６が、第２の領域６５に記憶された風速情報の示す風速が散水開始風速に達していないと判断した場合（ステップＳ１ａのＮＯ）、制御装置６は、上記ステップＳ１ａの判断を再度実行する。  
一方、制御装置６が、第２の領域６５に記憶された風速情報の示す風速が散水開始風速に達していると判断した場合（ステップＳ１のＹＥＳ）、制御装置６は、図４に示されたステップＳ２ないしステップＳ６と同様な制御を実行する（ステップＳ２ないしステップＳ６）。
【００８６】
ここで、前述したように、第２の領域６５には、受信部６２が風速風向計７ａから例えば１分間隔で受信した風速風向計７ａの風速情報等が記録される。そして、制御装置６は、例えば最後に記憶された風速風向計７ａの風速情報等に基づいて制御動作を行う。
【００８７】
制御装置６は、第２の領域６５に記憶された風速情報の示す風速が散水開始風速に達しているか否かを判断する（ステップＳ７ａ）。  
制御装置６が、第２の領域６５に記憶された風速情報の示す風速が散水開始風速に達していると判断した場合（ステップＳ７ａのＹＥＳ）、制御装置６は、図４に示されたステップＳ８ないしステップＳ１２と同様な制御を実行する（ステップＳ８ないしステップＳ１２）。  
制御装置６が、第２の領域６５に記憶された風速情報と、直前の風速情報が同じであると判断した場合（ステップＳ１０のＹＥＳ）又は前述のステップＳ１２の制御動作を行った場合、制御装置６は、上記ステップＳ７ａの判断を再度実行する。
【００８８】
制御装置６が、第２の領域６５に記憶された風速情報の示す風速が散水開始風速に達していないと判断した場合（ステップＳ７ａのＮＯ）、制御装置６は、図４に示されたステップＳ１３、Ｓ１４と同様な制御を実行する（ステップＳ１３、１４）。  
制御装置６は、ステップＳ１４の制御動作の後に、上記ステップＳ１ａの判断を再度実行する。
【００８９】
前述したように、風力発電機７は、ポンプ５にポンプ５の駆動電力を供給し、風力発電機７の発電情報を制御装置６に送信する。制御装置６が、風力発電機７から受信した発電情報に風力発電機７が発電を行っていることを示す情報が含まれていると判断した場合、制御装置６は、散水部９１ないし散水部９６から散水が行われるように、ポンプ５および散水部９１ないし散水部９６を制御する。そして、散水部９１ないし散水部９６は、ポンプ５によって圧送された貯水槽３の水を粉状堆積物１に向けて散水する。よって、散水制御装置８は、粉状堆積物１の飛散を確実に防止できる。又、散水制御装置８は、風力発電機７の発電電力に基づいて散水を行うので、省電力化を図ることができる。
【００９０】
また、風力発電機７の発電電力は、蓄電池４を介してポンプ５に供給される。散水制御装置８は、蓄電池４からポンプ５に電力を供給することにより、風力発電機７から直接ポンプ５に電力を供給するよりも安定した電力を供給することができる。従って、散水制御装置８は、風力発電機７から直接ポンプ５に電力を供給するよりもポンプ５の圧送モータを安定して動作させることができるので、粉状堆積物１の飛散を確実に防止できる。
【００９１】
また、散水部９１ないし散水部９６は、粉状堆積物１の周囲を四辺で囲むフェンス２の上側に配置される。そして、散水部９１ないし散水部９６は、フェンス２の上側から粉状堆積物１に向けて散水を行う。よって、散水制御装置８は、フェンス２の上側から散水を行わないと散水された水がとどかないような粉状堆積物１の一部にも散水を行うことができる。従って、散水制御装置８は、粉状堆積物１の飛散を確実に防止できる。
【００９２】
また、風速風向計７ａは、風速情報を制御装置６に送信する。制御装置６が、風速風向計７ａから受信した風速情報の示す風速が散水開始風速に達したと判断した場合、制御装置６は、散水部９１ないし散水部９６から散水が行われるように、ポンプ５および散水部９１ないし散水部９６を制御する。よって、風速情報が示す風速が散水開始風速に達しない場合、散水部９１ないし散水部９６から散水は行われない。つまり、風速情報が示す風速が散水開始風速に達しない場合、風力発電機７ｂの発電電力は蓄電池４に蓄電され、ポンプ５で消費されない。従って、散水制御装置８ａは、風力発電機７ｂの発電電力を有効に利用できるので、省電力化を図ることができる。
【００９３】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００９４】
１  粉状堆積物
２、２ａ、２１、２１ａ、２２、２３、２４  フェンス
３  貯水槽
４  蓄電池
５  ポンプ
６  制御装置
７  ７ｂ  風力発電機
７ａ  風速風向計
８、８ａ  散水制御装置
９１、９２、９３、９４、９５、９６  散水部
【図１】
2011256005.tif 000003
【図２】
2011256005.tif 000004
【図３】
2011256005.tif 000005
【図４】
2011256005.tif 000006
【図５】
2011256005.tif 000007
【図６】
2011256005.tif 000008
【図７】
2011256005.tif 000009